(57)【要約】      （修正有）【課題】設置スペースの縮小化と配置場所の自由度の向上とを実現可能であり、タンクの小幅化に寄与できるボールタップを提供する。【解決手段】ボールタップ１は、本体２０と、弁体２４と、フロート４０と、フロート４０の上下動を規制する上下動規制機構３０と、弁体操作機構５０とを備える。上下動規制機構３０は、本体２０と、フロート４０に固定された固定軸４１と、第１アーム３１と、第２アーム３２とからなる四節リンク機構である。上下動規制機構３０は、第１アーム３１の動作によって弁体操作機構５０を作動させる。【選択図】図４
2006283927.tif 000002
【特許請求の範囲】
【請求項１】
弁座が形成された水路を内部にもつ本体と、該本体に対して移動することにより、該弁座に着座又は離座可能な弁体と、タンク内に貯留された水の水位によって上下動するフロートと、該フロートの上下動を規制する上下動規制機構と、該上下動規制機構の動作を該弁体の移動に変換する弁体操作機構とを備えたボールタップにおいて、
前記上下動規制機構は、前記本体と、前記フロートに固定された固定軸と、該固定軸上の第１リンク点に上下揺動可能に軸支されているとともに、該本体上の第２リンク点に上下揺動可能に軸支された第１アームと、該第１アームと平行に延び、該固定軸上における該第１リンク点から下方に離反された第３リンク点に上下揺動可能に軸支されているとともに、該本体上における該第２リンク点から下方に離反された第４リンク点に上下揺動可能に軸支された第２アームとからなり、該第１アーム又は該第２アームの動作によって前記弁体操作機構を作動させる四節リンク機構であることを特徴とするボールタップ。
【請求項２】
前記第２アームにおける前記第３リンク点と前記第４リンク点との距離は、前記第１アームにおける前記第１リンク点と前記第２リンク点との距離と等しいことを特徴とする請求項１記載のボールタップ。
【請求項３】
前記第２アームにおける前記第３リンク点と前記第４リンク点との距離は、前記第１アームにおける前記第１リンク点と前記第２リンク点との距離より長いことを特徴とする請求項１記載のボールタップ。
【発明の詳細な説明】
【技術分野】
【０００１】
本発明はボールタップに関する。
【背景技術】
【０００２】
特許文献１に従来のボールタップが開示されている。このボールタップは、弁座が形成された水路を内部にもつ本体と、本体に対して移動することにより、弁座に着座又は離座可能な弁体と、タンク内に貯留された水の水位によって上下動するフロートと、フロートの上下動を規制する上下動規制機構と、フロートの上下動を弁体の移動に変換する弁体操作機構とを備えている。
【０００３】
より具体的には、上下動規制機構は、フロートの上端に固定された固定軸と、固定軸上の第１点に上下揺動可能に軸支されているとともに、本体上の第２点に上下揺動可能に軸支されたアームと、本体の下側から垂直に下方に延びるように設けられた案内筒と、フロートの側面から案内筒に向けて延びる繋留部と、繋留部の先端に設けられ、案内筒を挿通する案内具とからなる。
【０００４】
弁体操作機構は、アームにおける第２点側の一端に形成された軸部と、この軸部によって弁体が水平方向に移動するように弁体に一体に形成されたフックとからなる。
【０００５】
このような構成である特許文献１のボールタップは、例えば、水洗式便器等に適用される。そして、水洗式便器を洗浄する際にタンク内の水が排出されると、上下動規制機構及び弁体操作機構の協働によってタンク内への一定量の給水が行われる。
【０００６】
すなわち、タンク内に貯留された水の水位が下がれば、フロートが下降して、アームの軸部がフックから外れる。そして、給水圧により、弁体が弁座から離座する。この際、フロートは、固定軸、アーム及び本体によって下方への揺動が規制されつつ、案内具が案内筒に沿って下方に摺動することによって下降も規制される。そして、本体内の水路が開通し、タンク内に給水されることとなる。
【０００７】
その後、給水によりタンク内の水位が上がれば、フロートが上昇し、一定位置までフロートが上昇すると、アームの軸部がフックと係合することによって弁体が弁座に着座する。この際も、フロートは、固定軸、アーム及び本体によって上方への揺動が規制されつつ、案内具が案内筒に沿って上方に摺動することによって上昇も規制される。そして、本体内の水路が閉鎖され、タンク内への給水が止まることとなる。
【０００８】
一方、特許文献２に従来の他のボールタップが開示されている。このボールタップでは、ボール状のフロートに固定され、本体上の第１点に上下揺動可能に軸支されたアームによって上下動規制機構が構成されている。つまり、このボールタップの上下動規制機構は、特許文献１のような案内筒を有しておらず、１体のアームからなっている。また、本体上の第２点を支点として上下揺動可能なレバーと、レバーの一端上の第３点とアーム上の第４点との間でそれぞれ上下揺動可能に軸支された第１リンクと、レバーの他端上の第５点で弁体を上下摺動可能に軸支していることとにより、弁体操作機構が構成されている。
【０００９】
このような構成である特許文献２のボールタップも、特許文献１のものと同様、上下動規制機構及び弁体操作機構の協働によってタンク内への一定量の給水を行う。
【００１０】
【特許文献１】特開平９−１９６２２７号公報
【特許文献２】実開平５−１７２８３号公報
【発明の開示】
【発明が解決しようとする課題】
【００１１】
しかし、上記特許文献１、２のボールタップは、設置スペースの縮小化が困難であったったり、配置場所の自由度が低くなったりせざるを得なかった。
【００１２】
すなわち、特許文献１のボールタップは、案内筒をタンク内に配置しなければならないため、設置スペースの縮小化が困難であった。また、案内筒の位置が制約されるため、配置場所の自由度も低くならざるを得なかった。
【００１３】
また、特許文献２のボールタップは、案内筒を有してはいないが、フロートが本体上の第１点を枢軸として大きな円弧を描くように上下動するものである。このため、このボールタップを用いる場合には、タンク内にフロートの水平方向の移動スペースを確保しなければならず、やはり設置スペースの縮小化が困難であった。
【００１４】
本発明は、上記従来の実情に鑑みてなされたものであって、設置スペースの縮小化と配置場所の自由度の向上とを実現可能であり、タンクの小幅化に寄与できるボールタップを提供することを解決すべき課題としている。
【課題を解決するための手段】
【００１５】
本発明のボールタップは、弁座が形成された水路を内部にもつ本体と、該本体に対して移動することにより、該弁座に着座又は離座可能な弁体と、タンク内に貯留された水の水位によって上下動するフロートと、該フロートの上下動を規制する上下動規制機構と、該上下動規制機構の動作を該弁体の移動に変換する弁体操作機構とを備えたボールタップにおいて、
【００１６】
前記上下動規制機構は、前記本体と、前記フロートに固定された固定軸と、該固定軸上の第１リンク点に上下揺動可能に軸支されているとともに、該本体上の第２リンク点に上下揺動可能に軸支された第１アームと、該第１アームと平行に延び、該固定軸上における該第１リンク点から下方に離反された第３リンク点に上下揺動可能に軸支されているとともに、該本体上における該第２リンク点から下方に離反された第４リンク点に上下揺動可能に軸支された第２アームとからなり、該第１アーム又は該第２アームの動作によって前記弁体操作機構を作動させる四節リンク機構であることを特徴とする。
【００１７】
本発明のボールタップにおいて、上下動規制機構は本体と固定軸と第１アームと第２アームとからなる四節リンク機構である。
【００１８】
本体は、弁座が形成された水路を内部にもつ。この本体上には第２リンク点と第４リンク点とが設けられている。第４リンク点は第２リンク点から下方に離反されている。
【００１９】
固定軸はフロートに固定されている。この固定軸には第１リンク点と第３リンク点とが設けられている。第３リンク点は第１リンク点の下方に離反されている。
【００２０】
第１アームは、固定軸上の第１リンク点に上下揺動可能に軸支されているとともに、本体上の第２リンク点に上下揺動可能に軸支されている。
【００２１】
第２アームは、固定軸上の第３リンク点に上下揺動可能に軸支されているとともに、本体上の第４リンク点に上下揺動可能に軸支されている。また、第２アームは第１アームと平行に延びている。
【００２２】
なお、第１、２アームが平行であるとは、第１、２アームが揺動範囲の特定の位置、例えば水平方向を向く位置にあるときに少なくとも平行であればよい。第１〜４リンク点が平行四辺形の各頂点に位置する場合、第１、２アームは、揺動範囲の全域で常に平行である。他方、第１、２アームが揺動範囲の特定の位置にあるときに、第１〜４リンク点が台形の各頂点に位置する場合、第１、２アームは、その位置では平行であるが、その位置以外の揺動範囲では平行にならない。また、平行は、幾何学上の平行度までは要求されず、ある程度の誤差が許容される。
【００２３】
第１〜４リンク点が四節リンク機構の節を構成する。また、上下動規制機構は、第１アーム又は第２アームの動作によって弁体操作機構を作動させ、上下動規制機構の動作を弁体の移動に変換する。
【００２４】
このような構成である本発明のボールタップは、例えば、水洗式便器等に適用される。そして、水洗式便器を洗浄する際にタンク内の水が排出されると、上下動規制機構及び弁体操作機構の協働によってタンク内への一定量の給水が行われる。
【００２５】
すなわち、タンク内に貯留された水の水位が下がれば、フロートが下降し、それに伴って第１アーム及び第２アームが揺動する。そして、第１アーム又は第２アームの動作によって弁体が弁座から離座する。この際、フロートは、四節リンク機構によって規制されつつ下降する。そして、本体内の水路が開通し、タンク内に給水されることとなる。
【００２６】
その後、給水によりタンク内の水位が上がれば、フロートが上昇し、一定位置までフロートが上昇すると、それに伴って第１アーム及び第２アームが逆方向に揺動する。そして、第１アーム又は第２アームの動作によって弁体が弁座に着座する。この際も、フロートは、四節リンク機構によって規制されつつ上昇する。そして、本体内の水路が閉鎖され、タンク内への給水が止まることとなる。
【００２７】
これらの間、本発明のボールタップは、特許文献１のボールタップのような案内筒を有していないので、案内筒をタンク内に配置する必要がなく、その分だけ設置スペースの縮小化が可能となるとともに、配置場所の自由度も高くなる。
【００２８】
また、本発明のボールタップでは、上下動規制機構は、本体、固定軸及び第１、２アーム並びに第１〜４リンク点によって構成され、第１、２アームが平行の四節リンク機構からなる。このため、このボールタップでは、特許文献１のボールタップのような案内筒と案内具とによるスライダを有していなくても、フロートの上下動の際に固定軸の下端が常にタンクの底側に向くように規制され、固定軸が固定されたフロートは、水平方向の可動範囲を少なくしながら、垂直に近い軌跡を描くように上下動することとなる。また、このボールタップでは、フロートが特許文献２のボールタップのように大きな円弧を描かない。このため、このボールタップは、タンク内に確保すべきフロートの水平方向の移動スペースを狭くすることができ、やはり設置スペースの縮小化が可能となる。
【００２９】
したがって、本発明のボールタップは、設置スペースの縮小化と配置場所の自由度の向上とを実現可能であり、その結果としてタンクの小幅化に寄与できる。
【００３０】
本発明のボールタップにおいて、前記第２アームにおける前記第３リンク点と前記第４リンク点との距離は、前記第１アームにおける前記第１リンク点と前記第２リンク点との距離と等しいものであり得る。
【００３１】
この場合、四節リンク機構は平行四辺形を形成する。本体上の第２リンク点と第４リンク点とが垂直の位置関係にあれば、固定軸上の第１リンク点と第３リンク点とも垂直の位置関係になる。そして、フロートの上下動の際に、固定軸の下端がタンクの底側に向かって、常に同じ姿勢を取ることとなる。このため、フロートは、水平方向の可動範囲を確実に少なくしながら、より垂直に近い軌跡を描くように上下動することとなる。
【００３２】
本発明のボールタップにおいて、前記第２アームにおける前記第３リンク点と前記第４リンク点との距離は、前記第１アームにおける前記第１リンク点と前記第２リンク点との距離より長いものであり得る。
【００３３】
この場合、四節リンク機構は、第１、２アームが揺動範囲の特定の位置にあるときに、台形を形成する。そして、フロートの上下動の際に、固定軸の下端が所望の軌跡を描くように、固定軸の姿勢を変化させることを容易に実現できる。このため、フロートは、水平方向の可動範囲を少なくしながら、垂直に近い所望の軌跡を描くように上下動することとなる。これにより、このボールタップによれば、側面が斜面や曲面となったタンクを採用し、そのタンクの側面に沿ってフロートを上下動させることも可能になる。
【発明を実施するための最良の形態】
【００３４】
以下、本発明を具体化した実施例１、２を図面を参照しつつ説明する。
【実施例１】
【００３５】
図１〜図３に示すように、実施例１のボールタップ１は、本体２０と、弁体２４と、フロート４０と、上下動規制機構３０と、弁体操作機構５０とを備えている。
【００３６】
本体２０では、図３に示すように、上流側水路２１と下流側水路２２とが水平方向の一方向に延在されており、それらは弁座２３を介して水平方向に延びるガイド穴２５に連通されている。ガイド穴２５には径内方向に突出するストッパ部２６が形成されている。
【００３７】
本体２０上には、各々ピン穴によって第２リンク点３１ｂ及び第４リンク点３２ｂが設けられている。第４リンク点３２ｂは第２リンク点３１ｂから垂直下方に離反されている。
【００３８】
上流側水路２１には水道水の供給源からの配管（図示しない）が接続されるようになっている。下流側水路２２には図示しないタンク内に給水するためのホースが接続されるようになっている。
【００３９】
弁体２４は、本体２０のガイド孔２５内を移動することにより、弁座２３に着座又は離座可能とされている。そして、弁体２４が弁座２３に着座すれば、上流側水路２１及び下流側水路２２が遮断状態とされ、弁体２４が弁座２３から離座すれば、上流側水路２１及び下流側水路２２が連通状態とされるようになっている。
【００４０】
フロート４０は、図１及び図２に示すように、ポリプロピレン樹脂のブロー成形品等からなる中空体であり、その中央には固定孔４０ａが形成されている。
【００４１】
上下動規制機構３０は、本体２０と固定軸４１と第１アーム３１と第２アーム３２とからなる。
【００４２】
固定軸４１は、フロート４０に形成された固定孔４０ａに挿通されることにより、フロート４０の上端に固定されている。固定軸４１の上方には、各々ピン穴によって第１リンク点３１ａ及び第３リンク点３２ａが設けられている。第３リンク点３２ａは第１リンク点３１ａから垂直下方に離反されている。
【００４３】
第１アーム３１は両端にピンを有する棒状のものである。この第１アーム３１は、一端側のピンによって固定軸４１上の第１リンク点３１ａに上下揺動可能に軸支されているとともに、他端側のピンによって本体２０上の第２リンク点３１ｂに上下揺動可能に軸支されている。
【００４４】
第２アーム３２も両端にピンを有する棒状のものである。この第２アーム３２は、一端側のピンによって固定軸４１上の第３リンク点３２ａに上下揺動可能に軸支されているとともに、他端側のピンによって本体２０上の第４リンク点３２ｂに上下揺動可能に軸支されている。
【００４５】
第２アーム３２は第１アーム３１と平行に延びている。また、第２アーム３２における第３リンク点３２ａと第４リンク点３２ｂとの距離は、第１アーム３１における第１リンク点３１ａと第２リンク点３１ｂとの距離と等しくされている。このため、第１〜４リンク点３１ａ、３１ｂ、３２ａ、３２ｂは、平行四辺形の各頂点に位置することとなり、四節リンク機構の節を構成する。
【００４６】
弁体操作機構５０は、図１〜図３に示すように、ガイド孔２５と、第１アーム３１の第２リンク点３１ｂ側から、弁体２４の背面２４ａに向かって伸びるカム３１ｃとからなる。第１アーム３１が上方に揺動すれば、カム３１ｃが弁体２４の背面２４ａを押すように揺動するため、弁体２４は、ガイド孔２５に規制されつつ移動して、弁座２３に着座する。他方、第１アーム３１が下方に揺動すれば、カム３１ｃが弁体２４の背面２４ａから離れるように揺動するため、弁体２４は、水の供給圧に押されてガイド孔２５に規制されつつ移動し、弁座２３から離座する。そして、弁体２４はストッパ部２６に当接して止まる。こうして、弁体操作機構５０は、上下動規制機構３０を構成する第１アーム３１の動作により、弁体２４を弁座２３に着座又は離座させることが可能とされている。
【００４７】
このような構成である実施例１のボールタップ１は、例えば、水洗式便器等に適用される。そして、水洗式便器を洗浄する際にタンク内の水が排出されると、上下動規制機構３０及び弁体操作機構５０の協働によってタンク内への一定量の給水が行われる。
【００４８】
すなわち、図４に示すように、タンク内に貯留された水の水位が下がれば、フロート４０が下降し、それに伴って第１アーム３１及び第２アーム３２が下方に揺動する。そして、第１アーム３１の動作によって、カム３１ｃが弁体２４から離れるように揺動し、弁体２４が水の供給圧に押されて弁座２３から離座する。この際、フロート４０は、四節リンク機構を構成する上下動規制機構３０によって規制されつつ下降する。そして、本体２０内の上流側水路２１及び下流側流路２２が連通状態とされ、タンク内に給水されることとなる。
【００４９】
その後、給水によりタンク内の水位が上がれば、フロート４０が上昇し、一定位置までフロート４０が上昇すると、それに伴って第１アーム３１及び第２アーム３２が上方に揺動する。そして、第１アーム３１の動作によって、カム３１ｃが弁体２４を押すように揺動し、弁体２４が弁座２３に着座する。この際も、フロート４０は、四節リンク機構を構成する上下動規制機構３０によって規制されつつ上昇する。そして、本体２０内の上流側水路２１及び下流側水路２２が遮断状態とされ、タンク内への給水が止まることとなる。
【００５０】
これらの間、このボールタップ１は、特許文献１のボールタップのような案内筒を有していないので、案内筒をタンク内に配置する必要がなく、その分だけ、設置スペースの縮小化が可能となるとともに、配置場所の自由度も高くなっている。
【００５１】
また、このボールタップ１では、上下動規制機構３０は、本体２０、固定軸４１及び第１、２アーム３１、３２並びに第１〜４リンク点３１ａ、３１ｂ、３２ａ、３２ｂによって構成され、第１、２アーム３１、３２が平行の四節リンク機構からなる。このため、このボールタップ１では、特許文献１のボールタップのような案内筒と案内具とによるスライダを有していなくても、フロート４０の上下動の際に固定軸４１の下端が常にタンクの底側に向くように規制され、フロート４０は、水平方向の可動範囲Ｌ１を少なくしながら、垂直に近い軌跡を描くように上下動することとなっている。また、このボールタップ１では、フロート４０が特許文献２のボールタップのように大きな円弧を描かない。このため、このボールタップ１は、タンク内に確保すべきフロート４０の水平方向の移動スペースを狭くすることができており、やはり設置スペースの縮小化が可能となっている。
【００５２】
したがって、このボールタップ１は、設置スペースの縮小化と配置場所の自由度の向上とを実現できており、その結果としてタンクの小幅化に寄与できる。
【００５３】
特に、このボールタップ１は、第２リンク点３１ｂと第４リンク点３２ｂとは垂直の位置関係にあり、第２アーム３２における第３リンク点３２ａと第４リンク点３２ｂとの距離は、第１アーム３１における第１リンク点３１ａと第２リンク点３２ａとの距離と等しいものである。このため、このボールタップ１は、フロート４０の上下動の際に、固定軸４１の下端がタンクの底側に向かって、常に同じ姿勢を取る。このため、フロート４０は、水平方向の可動範囲Ｌ１を確実に少なくしながら、より垂直に近い軌跡を描くように上下動することとなっており、本発明の効果をより確実に奏することができている。
【実施例２】
【００５４】
実施例１のボールタップ１の上下動規制機構３０が平行四辺形をなす四節リンク機構を構成するものであるのに対して、実施例２のボールタップ２は、図５〜図７に示すように、第１、２アーム３０１、３０２が揺動範囲の特定の位置にあるときに、上下動規制機構３００が台形をなす四節リンク機構を構成する。それ以外の構成は実施例１のボールタップ１と同様であるので、同一の構成の説明は省く。
【００５５】
このボールタップ２において、本体２０上には、第２リンク点３０１ｂ及び第４リンク点３０２ｂが設けられている。第４リンク点３０２ｂは第２リンク点３０１ｂから垂直下方に離反されている。
【００５６】
上下動規制機構３００は、本体２０と固定軸４０１と第１アーム３０１と第２アーム３０２とからなる。
【００５７】
固定軸４０１は、フロート４０に形成された固定孔４０ａに挿通されることにより、フロート４０の上端に固定されている。固定軸４０１の上方には、第１リンク点３０１ａ及び第３リンク点３０２ａが設けられている。第３リンク点３０２ａは、第１リンク点３１ａから垂直下方ではなく、斜め下方に離反されている。
【００５８】
第１アーム３０１は、固定軸４０１上の第１リンク点３０１ａに上下揺動可能に軸支されているとともに、本体２０上の第２リンク点３０１ｂに上下揺動可能に軸支されている。
【００５９】
第２アーム３０２は、固定軸４０１上の第３リンク点３０２ａに上下揺動可能に軸支されているとともに、本体２０上の第４リンク点３０２ｂに上下揺動可能に軸支されている。
【００６０】
第２アーム３０２は、図６に示すように、第１アーム３０１が水平状態にある際に、第１アーム３０１と平行に延びるようにされている。また、第２アーム３０２における第３リンク点３０２ａと第４リンク点３０２ｂとの距離は、第１アーム３１における第１リンク点３１ａと第２リンク点３１ｂとの距離よりも長くされている。このため、第１〜４リンク点３０１ａ、３０１ｂ、３０２ａ、３０２ｂは、上辺と底辺が平行な台形の各頂点に位置することとなり、四節リンク機構の節を構成する。
【００６１】
このような構成であるボールタップ２も、例えば、水洗式便器等に適用されて、実施例１のボールタップ１と同様に機能する。これらの間、図７に示すように、このボールタップ２も、特許文献１のボールタップのような案内筒を有していないので、案内筒をタンク内に配置する必要がなく、その分だけ、設置スペースの縮小化が可能となるとともに、配置場所の自由度も高くなっている。
【００６２】
また、このボールタップ２では、上下動規制機構３００は、本体２０、固定軸４０１及び第１、２アーム３０１、３０２並びに第１〜４リンク点３０１ａ、３０１ｂ、３０２ａ、３０２ｂによって、上辺と底辺が平行な台形をなす四節リンク機構を構成する。このため、このボールタップ２では、特許文献１のボールタップのような案内筒と案内具とによるスライダを有していなくても、フロート４０の上下動の際に、固定軸４０１の下端が所望の軌跡であるほぼ垂直の軌跡を描くように規制され、固定軸４１が固定されたフロート４０は、水平方向の可動範囲Ｌ２を少なくしながら、ほぼ垂直に近い軌跡を描くように上下動することとなっている。また、このボールタップ２では、フロート４０が特許文献２のボールタップのように大きな円弧を描かない。このため、このボールタップ２は、タンク内に確保すべきフロート４０の水平方向の移動スペースを狭くすることができており、やはり設置スペースの縮小化が可能となっている。
【００６３】
したがって、このボールタップ２も、設置スペースの縮小化と配置場所の自由度の向上とを実現できており、その結果としてタンクの小幅化に寄与できる。
【００６４】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００６５】
本発明のボールタップは、洋風水洗式便器、和風水洗式便器等の水洗式便器等に利用可能である。
【図面の簡単な説明】
【００６６】
【図１】実施例１のボールタップに係り、フロートが上限位置にある状態を示す概略断面図である。
【図２】実施例１のボールタップに係り、フロートが中間位置にある状態を示す概略断面図である。
【図３】実施例１のボールタップに係り、本体及び弁体操作機構を示す要部拡大断面図である。
【図４】実施例１のボールタップに係り、フロートが下方位置にある状態を示す概略断面図である。
【図５】実施例２のボールタップに係り、フロートが上限位置にある状態を示す概略断面図である。
【図６】実施例２のボールタップに係り、フロートが中間位置にある状態を示す概略断面図である。
【図７】実施例２のボールタップに係り、フロートが下方位置にある状態を示す概略断面図である。
【符号の説明】
【００６７】
１、２…ボールタップ
２０…本体
２１、２２…水路（２１…上流側水路、２２…下流側水路）
２３…弁座
２４…弁体
３０、３００…上下動規制機構
３１、３０１…第１アーム
３１ａ、３０１ａ…第１リンク点
３１ｂ、３０１ｂ…第２リンク点
３２、３０２…第２アーム
３２ａ、３０２ａ…第３リンク点
３２ｂ、３０２ｂ…第４リンク点
４０…フロート
４１、４０１…固定軸
５０…弁体操作機構
【図１】
2006283927.tif 000003
【図２】
2006283927.tif 000004
【図３】
2006283927.tif 000005
【図４】
2006283927.tif 000006
【図５】
2006283927.tif 000007
【図６】
2006283927.tif 000008
【図７】
2006283927.tif 000009